(57)【要約】【課題】  ユーザが画像診断業務において実施した作業工程を正確に確認する事ができる情報処理装置を提供する。【解決手段】  情報処理装置は、表示手段に表示される医用情報を変更するユーザの指示を取得する第一取得手段と、前記表示手段に順次表示される複数の医用情報を取得する第二取得手段と、前記第一の取得手段によって取得された前記ユーザの指示に基づいて、前記第二取得手段によって取得された前記複数の医用情報をグループ化するグループ作成手段と、前記グループ作成手段によって生成されたグループに含まれる前記医用情報を示す代表情報を取得する第三取得手段と、前記第三取得手段により取得された前記代表情報を前記表示手段に出力する出力手段と、を備える。【選択図】  図２
2018108125.tif 000002
【特許請求の範囲】
【請求項１】
表示手段に表示される医用情報を変更するユーザの指示を取得する第一取得手段と、
前記表示手段に順次表示される複数の医用情報を取得する第二取得手段と、
前記第一の取得手段によって取得された前記ユーザの指示に基づいて、前記第二取得手段によって取得された前記複数の医用情報をグループ化するグループ作成手段と、
前記グループ作成手段によって生成されたグループに含まれる前記医用情報を示す代表情報を取得する第三取得手段と、
前記第三取得手段により取得された前記代表情報を前記表示手段に出力する出力手段と、
を備える情報処理装置。
【請求項２】
前記第三取得手段は、前記グループに含まれる前記複数の医用情報の前記表示手段に表示された時間に基づいて前記代表情報を取得することを特徴とする請求項１記載の情報処理装置。
【請求項３】
前記第三取得手段は、前記グループに含まれる前記複数の医用情報のうち前記表示手段に表示された時間が最も長い前記医用情報を前記代表情報として取得することを特徴とする請求項２記載の情報処理装置。
【請求項４】
前記第三取得手段は、前記グループに含まれる前記医用情報の数が閾値以下の場合には前記代表情報を取得しないことを特徴とする請求項１乃至３の何れか１項に記載の情報処理装置。
【請求項５】
前記出力手段は、前記グループに含まれる前記医用情報の数が閾値以下のグループから取得された前記代表情報は前記表示手段に出力しないことを特徴とする請求項１乃至３の何れか１項に記載の情報処理装置。
【請求項６】
前記グループ生成手段は、前記第一の取得手段によって取得された前記ユーザの指示および前記医用情報の特徴情報に基づいて前記第二取得手段によって取得された前記複数の医用情報をグループ化することを特徴とする請求項１乃至５の何れか１項に記載の情報処理装置。
【請求項７】
前記特徴情報は前記医用情報に含まれる被検体の部位を示す情報であり、順次表示される前記医用情報において前記被検体の部位に変化があった場合に前記グループ生成手段はグループ化を実行することを特徴とする請求項６記載の情報処理装置。
【請求項８】
前記表示手段を更に備え、
前記出力手段は、複数の前記グループから複数の前記代表情報を前記表示手段に出力し、
前記表示手段は、前記複数の代表情報を時系列順に並べて表示することを特徴とする請求項１乃至７の何れか１項に記載の情報処理装置。
【請求項９】
前記医用情報を変更するユーザの指示は、前記医用情報の種別を変更する指示を含むことを特徴とする請求項１乃至８の何れか１項に記載の情報処理装置。
【請求項１０】
前記医用情報は医用画像を含み、
前記医用情報を変更するユーザの指示は、前記医用画像に対するコントラスト変更の指示、前記医用画像の倍率変更の指示、前記医用画像の表示断面変更の指示および前記医用画像の種類を変更する指示の少なくとも１つを含むことを特徴とする請求項１乃至９の何れか１項に記載の情報処理装置。
【請求項１１】
前記代表情報は、前記医用情報自体、前記表示手段に表示された医用情報のキャプチャ画像および前記医用情報に対して画像処理が施された情報の少なくとも１つを含むことを特徴とする請求項１乃至１０の何れか１項に記載の情報処理装置。
【請求項１２】
前記グループは、前記医用情報を変更するユーザの指示を受信した後に再び前記医用情報を変更するユーザの指示を受信するまでの期間に前記表示手段に表示された前記医用情報を含むことを特徴する請求項１乃至１１の何れか１項に記載の情報処理装置。
【請求項１３】
表示手段に表示される医用情報を変更するユーザの指示を取得する第一取得工程と、
前記表示装置に順次表示される複数の医用情報を取得する第二取得工程と、
前記第一の取得手段によって取得された前記ユーザの指示に基づいて、前記第二取得手段によって取得された前記複数の医用情報をグループ化するグループ作成工程と、
前記グループ作成工程において生成されたグループに含まれる前記医用情報を示す代表情報を取得する第三取得工程と、
前記第三手段により取得された前記代表情報を前記表示手段に出力する出力工程と、
を備える情報処理方法。
【請求項１４】
請求項１乃至１２の何れか１項に記載の情報処理装置の各手段をコンピュータに実行させることを特徴とするプログラム。
【請求項１５】
表示手段に表示される医用画像の画像特徴量を取得する第一取得手段と、
前記表示手段に順次表示される複数の医用画像を取得する第二取得手段と、
前記第一の取得手段によって取得された前記画像特徴量に基づいて、前記第二取得手段によって取得された前記複数の医用画像をグループ化するグループ作成手段と、
前記グループ作成手段によって生成されたグループに含まれる前記医用画像を示す代表情報を取得する第三取得手段と、
前記第三取得手段により取得された前記代表画像を前記表示手段に出力する出力手段と、
を備える情報処理装置。
【発明の詳細な説明】
【技術分野】
【０００１】
本明細書の開示は、情報処理装置、情報処理方法およびプログラムに関する。
【背景技術】
【０００２】
通常、医師による画像診断は複数の作業工程からなり、各作業工程に応じて医師は活用する情報を適宜切替えながら画像診断を実施する。例えば、体幹部の医用画像において、まず、医用画像の表示条件（濃度変換パラメータなど）を肺領域の異常検出に適した条件に切替えて、肺野領域を観察する。観察した領域に異常を発見した場合は、その異常を有する領域を拡大し詳細に観察する。次に肝臓領域の異常検出に適した表示条件に切替えて、肝臓領域を観察する。さらに、骨領域の異常検出に適した表示条件に切替えて、骨領域を観察する。また、適宜電子カルテに記載された情報を確認する。
【０００３】
このような複雑な作業工程の画像診断において、既に実施した作業工程を確認できるように、特許文献１には医師の画像診断に関する操作の情報を時系列に沿ってイメージ化することが記載されている。
【先行技術文献】
【特許文献】
【０００４】
【特許文献１】国際公開第２０１１／０１３４７５号
【発明の概要】
【発明が解決しようとする課題】
【０００５】
しかしながら、特許文献１に記載の技術では医師による操作を抽象化したイメージを表示するだけであるので、ユーザは各作業工程において活用した情報の表示形態および／または表示内容までを確認することはできない。そのため、画像診断において、ユーザがそれまでに実施した作業工程（作業の履歴）を正確に認識することができなかった。
【０００６】
本明細書の開示は、ユーザが画像診断業務において実施した作業工程を正確に確認する事ができる情報処理装置および情報処理方法を提供することを目的の１つとする。
【０００７】
なお、前記目的に限らず、後述する発明を実施するための形態に示す各構成により導かれる作用効果であって、従来の技術によっては得られない作用効果を奏することも本明細書の開示の他の目的の１つとして位置付けることができる。
【課題を解決するための手段】
【０００８】
本明細書に開示する情報処理装置は、表示手段に表示される医用情報を変更するユーザの指示を取得する第一取得手段と、前記表示手段に順次表示される複数の医用情報を取得する第二取得手段と、前記第一の取得手段によって取得された前記ユーザの指示に基づいて、前記第二取得手段によって取得された前記複数の医用情報をグループ化するグループ作成手段と、前記グループ作成手段によって生成されたグループに含まれる前記医用情報を示す代表情報を取得する第三取得手段と、前記第三取得手段により取得された前記代表情報を前記表示手段に出力する出力手段と、を備える。
【発明の効果】
【０００９】
本明細書の開示によれば、ユーザが画像診断業務において実施した作業工程を正確に確認する事ができる。
【図面の簡単な説明】
【００１０】
【図１】実施形態に係る医用情報処理システムの構成の一例を示すブロック図
【図２】実施形態の全体処理の一例を説明するフローチャート
【図３】実施形態における医用情報表示後の画面例を示す図
【図４】医用画像の一例を説明する図
【図５】表示内容記憶部に記憶された再現情報の一例のイメージ図
【図６】実施形態における代表画像表示後の画面例を示す図
【図７】表示内容記憶部に記憶された再現情報の一例のイメージ図
【図８】実施形態における２つ目の代表画像表示後の画面例を示す図
【図９】変形例１−１の全体処理の一例を説明するフローチャート
【図１０】変形例１−２の全体処理の一例を説明するフローチャート
【図１１】表示条件を設定する画面例を示す図
【図１２】変形例２における代表画像表示領域の画面例を示す図
【図１３】変形例３における代表画像表示領域の画面例を示す図
【図１４】変形例４の全体処理の一例を説明するフローチャート
【図１５】変形例５における医用情報表示後の画面例を示す図
【図１６】変形例５における代表画像表示後の画面例を示す図
【図１７】第二の代表画像の例を示す図
【図１８】変形例５における２つ目の代表画像表示後の画面例を示す図
【発明を実施するための形態】
【００１１】
以下、添付の図面を参照して、実施形態の一例について説明する。なお、以下の実施形態において示す構成は一例に過ぎず、本発明は図示された構成に限定されるものではない。
【００１２】
［実施形態］
図１は、本実施形態に係わる医用情報処理装置を含む医用情報処理システムの全体構成の一例を示す図である。
【００１３】
医用情報処理システムは、医用情報処理装置１０とデータベース２２を含んでおり、これらの装置は、通信手段を介して互いに通信可能に接続されている。本実施形態においては、通信手段はＬＡＮ（Ｌｏｃａｌ  Ａｒｅａ  Ｎｅｔｗｏｒｋ）２１で構成される。
【００１４】
データベース２２は、不図示の医用画像撮影装置によって撮像された医用画像や電子カルテシステムやＨＩＳ（Ｈｏｓｐｉｔａｌ  Ｉｎｆｏｒｍａｔｉｏｎ  Ｓｙｓｔｅｍｓ）やＲＩＳ（Ｒａｄｉｏｌｏｇｙ  Ｉｎｆｏｒｍａｔｉｏｎ  Ｓｙｓｔｅｍｓ）などによって記録された各種検査情報を管理する。以下では、医用画像や検査情報などの画像診断業務において活用する情報を、医用情報と称する。医用情報処理装置１０は、データベース２２で管理された医用情報を、ＬＡＮ２１を介して取得する。
【００１５】
医用情報処理装置１０は、その機能的な構成として、通信ＩＦ３１、ＲＯＭ３２、ＲＡＭ３３、記憶部３４、操作部３５、表示部３６、制御部３７を具備する。
【００１６】
通信ＩＦ（Ｉｎｔｅｒｆａｃｅ）３１は、例えば、ＬＡＮカード等で実現され、ＬＡＮ２１を介した外部装置（例えば、データベース２２）と医用情報処理装置１０との間の通信を司る。ＲＯＭ（Ｒｅａｄ  Ｏｎｌｙ  Ｍｅｍｏｒｙ）３２は、不揮発性のメモリ等で実現され、各種プログラム等を記憶する。ＲＡＭ（Ｒａｎｄｏｍ  Ａｃｃｅｓｓ  Ｍｅｍｏｒｙ）３３は、揮発性のメモリ等で実現され、各種情報を一時的に記憶する。記憶部３４は、例えば、ＨＤＤ（Ｈａｒｄ  Ｄｉｓｋ  Ｄｒｉｖｅ）等で実現され、各種情報を記憶する。操作部３５は、例えば、キーボードやマウス等で実現され、ユーザからの指示を装置内に入力する。表示部３６は、例えば、ディスプレイ等で実現され、各種情報をユーザ（例えば、医師）に向けて表示する。制御部３７は、例えば、ＣＰＵ（Ｃｅｎｔｒａｌ  Ｐｒｏｃｅｓｓｉｎｇ  Ｕｎｉｔ）等で実現され、医用情報処理装置１０における処理を統括制御する。制御部３７には、その機能的な構成として、第１表示制御部４０、ユーザ指示判定部４１、表示内容記憶部４２、グループ作成部４３、代表情報作成部４４、第２表示制御部４５を具備する。ＣＰＵがＲＯＭ３２に記憶されたプログラムを実行することで、ＣＰＵが、第１表示制御部４０、ユーザ指示判定部４１、表示内容記憶部４２、グループ作成部４３、代表情報作成部４４、第２表示制御部４５として機能する。
【００１７】
なお、医用情報処理装置１０が備えるＣＰＵおよびＲＯＭは１つであってもよいし複数であってもよい。すなわち、少なくとも１以上のプロセッサと少なくとも１つのメモリとが接続されており、少なくとも１以上のプロセッサが少なくとも１以上のメモリに記憶されたプログラムを実行した場合にＣＰＵは上記の各部として機能する。なお、処理装置はＣＰＵに限定されるものではなく、ＧＰＵ等であってもよい。
【００１８】
第１表示制御部４０は、ユーザの指示に従って医用情報を表示部３６に表示する制御を行う。ユーザが操作部３５を用いて選択した少なくとも一つの医用情報を、データベース２２から読み出し表示部３６に表示する。さらに、操作部３５を用いたユーザの指示に応じて、表示部３６における医用情報の表示内容を変更する。また、第１表示制御部４０によって表示された表示内容を表示内容記憶部４２へ出力する。表示内容の具体的な説明については後述する。
【００１９】
ユーザ指示判定部４１は、第１表示制御部４０に対するユーザの指示を順次取得し、その指示が所定の判定条件を満たすか否かを判定する。そして、判定結果をグループ作成部４３へ出力する。ここで、所定の判定条件とは、例えば、ユーザの指示が作業工程の区切りとなる指示であるか否かを判定する条件である。判定条件の具体的な説明については後述する。
【００２０】
ユーザ指示判定部４１は、表示手段に表示される医用情報を変更するユーザの指示を取得する第一取得手段の一例に相当する。
【００２１】
表示内容記憶部４２は、第１表示制御部４０によって表示された表示内容を取得し、その表示内容を再現するために必要な情報（以下、再現情報と称する）を記憶部３４またはＲＡＭ３３に記憶する。再現情報の具体的な説明については後述する。また、記憶した再現情報をグループ作成部４３へ出力する。表示内容記憶部４２は、表示手段に順次表示される複数の医用情報を取得する第二取得手段の一例に相当する。
【００２２】
グループ作成部４３は、ユーザ指示判定部４１の判定結果に基づいて、一つの作業工程に属すると判断される一連の表示内容に関する再現情報を、表示内容記憶部４２から読み出してグループ化する。また、グループ化された各グループの情報を、代表情報作成部４４へ出力する。グループ作成部４３は、第一の取得手段によって取得されたユーザの指示に基づいて、第二取得手段によって取得された複数の医用情報をグループ化するグループ作成手段の一例に相当する。例えば、グループは、医用情報を変更するユーザの指示を受信した後に再び前記医用情報を変更するユーザの指示を受信するまでの期間に表示手段に表示された医用情報を含む。
【００２３】
代表情報作成部４４は、グループ作成部４３によって作成された各グループを代表する表示内容を示す情報（以下、代表情報と称する）を作成する。代表情報とは、当該グループ内の複数の再現情報によって再現される複数の表示内容を代表する情報であり、ある一つの作業工程に属すると判断された一連の表示内容を代表する（すなわち作業工程を代表して表す）情報といえる。代表情報作成部４４は、グループ作成手段によって生成されたグループに含まれる医用情報を示す代表情報を取得する第三取得手段の一例に相当する。
【００２４】
ここで、代表情報は、グループの内容をユーザが容易に認識できればどのような種類の情報であってもよい。具体的には、グループを代表する表示内容を示す画像（以下、代表画像と称する）や、代表画像を簡略化したアイコンやマーク、または代表情報を要約したテキスト情報等である。以下の説明では代表情報が代表画像の場合について説明するが、本発明はこれに限定されるものではない。また、代表情報の種類は、ユーザの指示に従って適宜変更できるようにしてもよい。すなわち、代表画像を含む代表情報は、医用情報自体、表示手段に表示された医用情報のキャプチャ画像および医用情報に対して画像処理が施された情報の少なくとも１つを含む。
【００２５】
第２表示制御部４５は、代表情報作成部４４で作成された代表情報を表示部３６に表示する制御を行う。第２表示制御部４５は、第三取得手段により取得された代表情報を表示手段に出力する出力手段の一例に相当する。
【００２６】
なお、制御部３７が具備する各部の少なくとも一部は独立した装置として実現してもよい。また、夫々が機能を実現するソフトウェアとして実現してもよい。この場合、機能を実現するソフトウェアは、クラウドをはじめとするネットワークを介したサーバ上で動作してもよい。本実施形態では各部はローカル環境におけるソフトウェアにより夫々実現されているものとする。
【００２７】
次に図２を用いて、本実施形態における制御部３７による全体の処理手順を説明する。図２は、制御部３７が行う処理の一例を示すフローチャートである。
【００２８】
図２に示すフローチャートのステップＳ２００において、第１表示制御部４０は、ユーザが操作部３５を用いて選択した医用情報を、データベース２２から読み出し表示部３６に表示する。さらに、操作部３５を用いたユーザの指示に応じて、表示部３６における医用情報の表示内容を順次変更する。なお、本実施例におけるユーザの指示とは、ユーザが操作部３５を介して医用情報処理装置１０に入力する当該装置を操作するための指示であり、表示内容の変更に係る機能を実行する指示を含んでいる。ユーザの指示には、例えば、「表示画像を変更する指示」「濃度変換機能を実行する指示」「スライス送り機能を実行する指示」などが含まれる。また、医用情報を変更するユーザの指示は医用情報の種別を変更する指示を含む。また、医用情報を変更するユーザの指示は、医用画像に対するコントラスト変更の指示、医用画像の倍率変更の指示、医用画像の表示断面変更の指示および医用画像の種類を変更する指示の少なくとも１つを含む。
【００２９】
ステップＳ２１０において、表示内容記憶部４２は、ステップＳ２００で第１表示制御部４０に表示された表示内容を順次取得し、当該表示内容の再現情報を記憶部３４またはＲＡＭ３３に順次記憶する。ここで再現情報とは、取得した表示内容を再現する事が可能な情報のことである。再現情報の例としては、表示している情報の内容そのもの（以下、表示情報と称する）と表示属性を対応付けて記憶したデータ（以下、表示情報データと称する）がある。別の例としては、画面に表示した内容を画像として取得したデータ（以下、キャプチャ画像と称する）やその縮小画像などがある。表示属性とは、例えば、表示情報の種別（テキスト、図形、画像などの識別情報）、表示部３６に対する表示位置、表示レイアウト、表示情報の取得範囲（一部のみ取得する場合）、各表示情報の色や透過度や拡大率等である。また、表示情報がテキストの場合は、表示属性とは、例えば、フォントの種類やサイズ等である。
【００３０】
また、再現情報には、当該表示内容の表示結果に係る情報を含んでもよい。例えば、当該表示内容を表示部３６に表示していた時間（以下、表示時間と称する）や当該表示内容をユーザが観察していた時間（以下、観察時間と称する）である。さらに、当該表示内容をユーザが表示した回数や観察した回数（以下、観察回数と称する）を含んでもよい。ここで、観察時間や観察回数は、不図示の視線検出装置（アイトラッキングシステムとも呼ばれる）を用いてユーザの視線情報を検出することで計測する事が出来る。なお、再現情報の記憶は、必ずしも全ての表示内容に関して行わなくてもよい。例えば、所定の条件を満たさない表示内容は記憶しないようにすることができる。所定の条件としては、例えば、当該表示内容の表示時間が所定時間未満（例えば、０．５秒未満）の場合は記憶しないといった条件を用いることができる。また、代表情報作成部４４で選択される可能性がない表示内容については記憶しないようにできる。例えば、表示時間が最大となる表示内容を選択するという基準を用いる場合には、同じグループに入る表示内容の中に、既に当該表示内容よりも表示時間が長い表示内容が記憶されている場合には、当該表示内容は記憶しなくてもよい。なお、この処理を実行するためには、ステップＳ２３０の処理で後述するグループ期間の開始点の算出を、本ステップで予め行う必要がある。
【００３１】
ステップＳ２２０において、ユーザ指示判定部４１は、ステップＳ２００におけるユーザの指示を順次取得し、取得したユーザの指示（以下、判定対象指示と称する）が所定の判定条件を満たすか否かを判定する。例えば、判定条件として、ユーザの指示が作業工程の区切りとなる指示であるか否かを判定する条件を用いることができる。例えば、「判定対象指示が観察対象を変更する指示である」、「判定対象指示が濃度変換機能を実行する指示（以下，濃度変換指示と称する）である」、「判定対象指示が画像診断を終了する指示である」、等の条件がこれに該当する。また、判定条件として、ユーザの指示が特定の作業工程の実施を示す指示であることを判定する条件を用いることができる。例えば、「表示内容の変更に係る指示が一定時間以上ない」という条件がこれに該当する。もちろん、ここで示した判定条件は１例であり、本発明はこれに限定されない。また、判定条件は予め設定してもよいし、ユーザが適宜変更できるようにしてもよい。ユーザ指示判定部４１は、判定対象指示が判定条件を満たす場合は処理をステップＳ２３０へと進め、判定対象指示が判定条件を満たさない場合は処理をステップＳ２００へと戻す。
【００３２】
ステップＳ２３０において、グループ作成部４３は、ステップＳ２２０における判定結果に基づいて、表示内容記憶部４２が保持している再現情報から、所定の期間に記憶された再現情報を抽出する。そして、抽出した再現情報を１グループとしてグループ化して、その情報を代表情報作成部４４へ出力する。なお、グループ化を行う所定の期間（以下、グループ期間と称する）の開始点と終了点は、予め定めた基準に従って設定されるものとする。具体的には、「開始点は前回に判定条件を満たした指示の実施時点」及び「終了点は今回に判定条件を満たした指示の実施時点の直前の時点」という基準を定める。当該基準に従った場合、本ステップでは「前回に判定条件を満たした指示の実施時点」から「今回に判定条件を満たした指示の実施時点の直前の時点」までの期間の再現情報を取得し、それらを１グループとしてグループ化する。
【００３３】
なお、ここで示したグループ期間を定めるための基準は一例であり、本発明はこれに限定されるものではない。すなわち、判定結果に基づき、ある作業工程に属する表示内容をグループ化することが可能な基準であれば、上記とは異なる基準によってグループ期間を設定するようにしてもよい。例えば、「開始点は前回に判定条件を満たした指示の実施時点の３０秒後の時点」及び「終了点は今回に判定条件を満たした指示の実施時点の３０秒前の時点」という基準を定めてもよい。つまり、前回及び今回に判定条件を満たした指示の実施時点から一定期間を離れた時点を、開始点または終了点として定める基準としてもよい。また、「開始点は今回に判定条件を満たした指示の実施時点の３０秒前の時点」及び「終了点は今回に判定条件を満たした指示の実施時点の３０秒後の時点」という基準を定めてもよい。
【００３４】
つまり、開始点と終了点を定める基準の両方を、今回に判定条件を満たした指示の実施時点のみに基づいて設定してもよい。また、上記ではグループ期間の開始点と終了点の基準は予め設定されているものとして説明したが、ユーザが適宜変更できるようにしてもよい。
【００３５】
なお、設定した開始点と終了点の基準によっては、開始点の取得後に終了点が取得できず、次の開始点が取得されてしまう場合があり得る。こうした場合でも、時系列的に開始点と終了点で囲まれた期間だけをグループ期間とするので問題ない。つまり、開始点の後に再度開始点が来た期間があった場合、この期間の表示内容はどのグループにも含まれないので、代表情報も作成されないことになる。これにより、例えば非常に短時間しか表示しなかった表示内容については、代表情報が作成されないようにすることができる。
【００３６】
ステップＳ２４０において、代表情報作成部４４は、ステップＳ２３０で作成されたグループの再現情報に基づいて、当該グループの代表情報を作成する。そして、作成した代表情報を第２表示制御部４５へ出力する。まず、当該グループに含まれる再現情報から、予め定めた基準に従って当該グループの代表的な表示内容を特定する。例えば、「代表的な表示内容は表示時間が最も長い表示内容とする」という基準を定める。当該基準に従った場合、本ステップでは当該グループに含まれる全ての再現情報から各表示内容の表示時間をそれぞれ取得し、最も長い表示時間を有した表示内容を特定する。すなわち、第三取得手段は、グループに含まれる複数の医用情報の表示手段に表示された時間に基づいて代表情報を取得する。具体的には、第三取得手段は、グループに含まれる複数の医用情報のうち表示手段に表示された時間が最も長い前記医用情報を代表情報として取得する。
【００３７】
もちろん、ここで示した代表的な表示内容を特定するための基準は一例であり、本発明はこれに限定されるものではない。例えば、「代表的な表示内容はグループ期間の中間時点における表示内容とする」という基準を定めてもよい。
【００３８】
また、各表示内容を画像として取得する場合には、公知の技術を用いて算出される画像の特徴量を表す情報（以下，画像特徴量と称す）に基づいて基準を定めてもよい。例えば、所定の画像特徴量が最大となる画像（を備える再現情報）を選択するようにできる。いずれにしろ、代表的な表示内容から当該グループの要点をユーザが認識することができれば、どのような基準を設定してもよい。
【００３９】
次に、特定した代表的な表示内容の再現情報から、表示情報データまたはキャプチャ画像を取得し、取得した表示情報データやキャプチャ画像から代表情報（本実施例では代表画像）を作成する。取得した情報が表示情報データの場合は、当該表示情報データから表示内容を再現し、再現した表示内容を示す画像を代表画像とする。取得した情報がキャプチャ画像の場合は、キャプチャ画像そのものを代表画像とする。ここで、当該代表画像を公知の技術により加工した第二の代表画像を作成し、以降のステップでは第二の代表画像を活用してもよい。第二の代表画像とは、例えば代表画像に対して階調や拡大率や透過度等を変換する変換処理や、平滑化フィルタや鮮鋭化フィルタ等を用いたフィルタ処理を適応した画像である。さらに、代表画像を簡略化したアイコンやマークを第二の代表画像としてもよい。また、第二の代表画像を作成するための処理方法は、予め定めてもよいし、ユーザが適宜指定してもよい。もちろん、ここで示した代表画像及び第二の代表画像の作成方法は一例であり、本発明はこれに限定されるものではない。
【００４０】
ステップＳ２５０において、第２表示制御部４５は、ステップＳ２４０で作成された代表情報を表示部３６に表示する制御を行う。ここで、表示部３６における代表情報を表示する領域に既に他の代表情報が表示されている場合は、それら複数の代表情報を時系順に並べて表示する。夫々のグループの代表情報を時系順に並べて表示することで、ユーザはそれまでに行った作業工程の履歴を一覧することができる。
【００４１】
ステップＳ２６０において、制御部３７は、操作部３５を介してユーザから画像診断終了の指示があったか否かを判定する。画像診断終了の指示は、ユーザが画像診断終了ボタンを選択することなどにより実施される。画像診断終了の指示があった場合は、処理を終了する。制御部３７は、画像診断終了の指示がなかった場合は処理をステップＳ２００に戻し、指示があった場合は処理を終了させる。
【００４２】
次に、ステップＳ２００からステップＳ２６０の処理手順を図３〜８を用いて具体的に説明する。
【００４３】
まずステップＳ２００において、ユーザが「医用画像１０３の表示」を指示したとする。このとき、第１表示制御部４０は、ユーザの指示に従って、ある患者の医用画像１０３をデータベース２２から医用画像表示装置（Ｖｉｅｗｅｒ）に読み出し、表示部３６に表示する。図３に例示した医用画像１０３は、ＣＴ装置で撮像された３次元ＣＴ画像の水平断像であり、図４の（Ａ）に示す通りａ１〜ａ５の５枚のスライス画像から構成される。本指示に対応する処理を実行した直後の表示部３６における画面例を図３に示す。図３において、領域１０１は医用画像表示領域を表す。医用画像表示領域は、ユーザが読影対象としている医用画像または読影の参考情報とする医用画像を表示する領域である。医用画像表示領域に医用画像を表示することにより、ユーザは表示した医用画像に対して医用画像表示装置の様々な機能を使用できる。ユーザは、この様々な機能を活用することで、医用画像表示領域に表示されている医用画像の表示内容を（指示を与えることで）順次変更しながら画像診断を実施する。次に領域１０２は代表情報表示領域を表す。代表情報表示領域は代表情報作成部４４が作成した代表情報を表示する領域である。図３では、医用画像表示領域１０１に、医用画像１０３のａ１のスライス画像が表示されている。ここで、ステップＳ２００において、ユーザが表示内容の変更にかかわる機能の実行を指示した際には、制御部３７は処理をステップＳ２１０へと進める。本実施例においては、ここではユーザが「医用画像１０３の表示」を指示したため、処理はステップＳ２１０へと進む。
【００４４】
ステップＳ２１０において、表示内容記憶部４２は、ユーザが「医用画像１０３の表示」を指示した時点の直前の時点の表示部３６における表示内容を取得し、その再現情報を記憶部３４に保存する。なお、ここで示した再現情報を取得及び保存する機会は１例であり、本発明はこれに限定されない。例えば、ユーザの指示に関わらず一定間隔毎に順次取得及び保存してもよい。本実施例において、再現情報は、当該指示に対応する処理を実行する直前の表示状態の指示対象である医用情報のキャプチャ画像と表示時間とする。ここで、ユーザが「医用画像１０３の表示」を指示した時点の直前の時点では、表示部３６には指示対象である医用情報は表示されていない。このように、再現情報を取得する対象が存在しない場合は、本ステップの処理は実行しない。また、ステップＳ２１０〜Ｓ２５０の処理も実行しない。このように画像診断時のユーザの初回の指示の際には、ステップＳ２１０〜Ｓ２５０の処理は実行しない事が多い。従って、ユーザの初回の指示の際には、ステップＳ２１０〜Ｓ２５０の処理を飛ばして、処理をステップＳ２６０へと進めるようにしてもよい。本実施例においても、ステップＳ２１０〜Ｓ２５０の処理が飛ばされ、ステップＳ２６０へと処理が進む。そしてステップＳ２６０において、ユーザが画像診断の終了を指示しなかった場合、処理はステップＳ２００に戻る。
【００４５】
ステップＳ２００に戻り、次にユーザが、医用画像１０３に対して「スライス送り機能の実行」を指示したとする。このとき、第１表示制御部４０は、表示するスライス画像をａ１からａ２に変更する。本指示に従った処理の実行後には、医用画像表示領域１０１に医用画像１０３のａ２のスライス画像が表示される。ここで表示内容を変更する指示を取得したため、制御部３７は処理をステップＳ２１０へと進める。
【００４６】
ステップＳ２１０において、表示内容記憶部４２は、「スライス送り機能の実行」を指示した時点の直前の時点の表示部３６における表示内容を取得し、その再現情報を記憶部３４に保存する。つまり、当該指示に対応する処理を実行する直前の表示状態の指示対象である医用情報のキャプチャ画像と表示時間を取得及び保存する。ここで表示時間は、前回に指示した時点から今回に指示した時点までの経過時間をシステムが自動計測することなどで取得できる。本実施例においては、スライス画像ａ１のキャプチャ画像とスライス画像ａ１の表示時間（１秒とする）を再現情報として取得および保存する。
【００４７】
ステップＳ２２０において、ユーザ指示判定部４１は、「スライス送り機能の実行」というユーザの指示が判定条件を満たすか否かを判定する。ここで本実施例では、判定条件として、「判定対象指示は観察対象の変更指示である」または「判定対象指示は濃度変換機能の実行指示である」という２つの条件が設定されているとする。「スライス送り機能の実行」というユーザの指示は、この判定条件のいずれも満たさない。従って、制御部３７は処理をステップＳ２００へと戻す。
【００４８】
ステップＳ２００へ戻り、ユーザが医用画像１０３に対して再び「スライス送り機能の実行」を指示したとする。このとき、第１表示制御部４０は、表示するスライス画像をａ２からａ３に変更する。ここで表示内容を変更する指示が与えられたため、制御部３７は処理をステップＳ２１０へと進める。そして、上述のステップと同様に、ステップＳ２１０において、スライス画像ａ２のキャプチャ画像とスライス画像ａ２の表示時間（３秒とする）を再現情報として取得および保存する。また、ステップＳ２２０において、当該指示は判定条件を満たさないので、制御部３７は処理をステップＳ２００へと戻す。
【００４９】
ステップＳ２００へ戻り、次にユーザが、「観察対象の医用画像１０４への変更」を指示したとする。このとき、第１表示制御部４０は、同一患者の別の医用画像１０４をデータベース２２から読み出し表示部３６に表示し、観察対象を医用画像１０４へ変更する。医用画像１０４は、ＣＴ装置で撮像された３次元ＣＴ画像の冠状断像であり、図４の（Ｂ）に示す通りｂ１〜ｂ３の３枚のスライス画像から構成される。本指示に対応する処理の実行後には、医用画像表示領域１０１に医用画像１０４のｂ１のスライス画像が表示される。ここで表示内容を変更する指示が与えられたため、制御部３７は処理をステップＳ２１０へと進める。
【００５０】
ステップＳ２１０において、表示内容記憶部４２は、「観察対象の医用画像１０４への変更」を指示した時点の直前の時点の表示部３６における表示内容を取得し、その再現情報を記憶部３４に保存する。つまり、スライス画像ａ３のキャプチャ画像とスライス画像ａ３の表示時間（２秒とする）を再現情報として取得および保存する。
【００５１】
ステップＳ２２０において、ユーザ指示判定部４１は、「観察対象の医用画像１０４への変更」というユーザの指示が判定条件を満たすか否かを判定する。ここで、前述したように、本実施例における判定条件には、「判定対象指示は観察対象の変更指示である」という条件があり、「観察対象の医用画像１０４への変更」というユーザの指示は、この判定条件を満たす。従って、制御部３７は処理をステップＳ２３０へと進める。なお、画像診断開始時から本ステップ終了時までに保存された再現情報のイメージ図を図５に示す。図５においては、図の上から下に向かって時系列順にユーザの指示とその指示に基づいて保存された再現情報を示している。また、図の左列は保存されたキャプチャ画像の模式図を示しており、右列はそれに対応する表示時間を示している。なお以下では、スライス画像ａ１のキャプチャ画像とそれに対応する表示時間（１秒）の組の再現情報をｉｎｆ２００と称する。同様に、スライス画像ａ２のキャプチャ画像とそれに対応する表示時間（３秒）の組の再現情報をｉｎｆ２１０と称し、スライス画像ａ３のキャプチャ画像とそれに対応する表示時間（２秒）の組の再現情報をｉｎｆ２２０と称する。
【００５２】
ステップＳ２３０において、グループ作成部４３は、表示内容記憶部４２から所定の期間の再現情報を読み出しグループ化する。ここで本実施例では、グループ期間の開始点を定める基準として、「前回に判定条件を満たした指示の実施時点」または「初回の指示の実施時点」という基準が設定されているとする。また、グループ期間の終了点を定める基準として、「今回に判定条件を満たした指示の実施時点の直前の時点」という基準が設定されているとする。つまり、グループ期間は、「医用画像１０３を表示する指示の実施時点」から「観察対象を医用画像１０４へ変更する指示の実施時点の直前の時点」までの期間となる。従って、当該グループ期間の再現情報として、ｉｎｆ２００とｉｎｆ２１０とｉｎｆ２２０の３つの再現情報を１グループとしてグループ化する。
【００５３】
ステップＳ２４０において、代表情報作成部４４は、ステップＳ２３０で作成されたグループの代表的な表示内容（代表情報）を特定する。本実施例では、代表的な表示内容を特定するための基準として、「表示時間が最も長い表示内容を代表的な表示内容とする」という基準が設定されているとする。ここで、表示時間が同じ表示内容が複数ある場合のように、当該基準によって代表的な表示内容を特定できない場合がある。このような場合のために、本実施例では、第２の基準として、「当該基準で特定された表示内容の中から、グループ期間の中間時点に近い表示内容を選択する」とう基準が設定されているとする。つまり、複数の基準を組み合わせて代表的な表示内容を特定できるようにしている。図５の例では、代表情報作成部４４は、ｉｎｆ２００とｉｎｆ２１０とｉｎｆ２２０の３つの再現情報における表示時間を比較し、代表的な表示内容を特定する。本実施例の場合、表示時間はｉｎｆ２１０の３秒が最も長いため、ｉｎｆ２１０に対応する表示内容が代表的な表示内容となる。次に、代表情報作成部４４は、ｉｎｆ２１０から当該表示内容のキャプチャ画像（ここでは、スライス画像ａ２のキャプチャ画像）を取得する。そして、当該キャプチャ画像を代表情報表示領域１０２に表示するために適切な大きさに変換する。ここで、変換処理後のキャプチャ画像を代表画像３００とする。
【００５４】
ステップＳ２５０において、第２表示制御部４５は、ステップＳ２４０で作成された代表画像３００を表示部３６に表示する。本ステップ後の表示部３６における画面例を図６に示す。図６の例では、医用画像表示領域１０１に、医用画像１０３のスライス画像ａ３と医用画像１０４のスライス画像ｂ１が表示されている。また、代表情報表示領域１０２に、代表画像３００が表示されている。
【００５５】
ステップＳ２６０において、ユーザが画像診断の終了を指示しなかった場合、処理はステップＳ２００に戻る。ステップＳ２００に戻り、次にユーザが医用画像１０４に対して「スライス送り機能の実行」指示したとする。このとき、第１表示制御部４０は、表示するスライス画像をｂ１からｂ２に変更する。ここで表示内容を変更する指示を取得したため、制御部３７は処理をステップＳ２１０へと進める。以降のステップは、上述のステップと同様にステップＳ２１０において、スライス画像ｂ１のキャプチャ画像とスライス画像ｂ１の表示時間（２秒とする）を再現情報として取得および保存する。また、ステップＳ２２０において、判定条件を満たさないので、制御部３７は処理をステップＳ２００へと戻す。
【００５６】
ステップＳ２００へ戻り、ユーザが、医用画像１０４に対して「濃度変換機能の実行」を指示したとする。このとき第１表示制御部４０は、医用画像１０４の各画素における表示上の画素値を変換する。ここで表示内容を変更する指示が与えられたため、制御部３７は処理をステップＳ２１０へと進める。
【００５７】
ステップＳ２１０において、表示内容記憶部４２は、「濃度変換機能の実行」を指示した時点の表示部３６における表示内容を取得し、その再現情報を記憶部３４に保存する。つまり、スライス画像ｂ２のキャプチャ画像とスライス画像ｂ２の表示時間（６秒とする）を再現情報として取得および保存する。
【００５８】
ステップＳ２２０において、ユーザ指示判定部４１は、「濃度変換機能の実行」というユーザの指示が判定条件を満たすか否かを判定する。ここで、前述したように、本実施例における判定条件には、「判定対象指示は濃度変換機能の実行指示である」という条件があり、「濃度変換機能の実行」は、この判定条件を満たす。従って、制御部３７は処理をステップＳ２３０へと進める。なお、画像診断開始時から本ステップ終了時までに、保存された再現情報のイメージ図を図７に示す。図７は、図５と同様に図の上から下に向かって時系列順にユーザの指示とその指示に基づいて保存された再現情報を示している。以下では、スライス画像ｂ１のキャプチャ画像とそれに対応する表示時間（２秒）の組の再現情報をｉｎｆ２３０と称する。同様に、スライス画像ｂ２のキャプチャ画像とそれに対応する表示時間（６秒）の組の再現情報をｉｎｆ２４０と称する。
【００５９】
ステップＳ２３０において、グループ作成部４３は、グループ期間の再現情報を読み出しグループ化する。本実施例では、前述した基準に基づき、グループ期間の開始点は、「前回に判定条件を満たした指示の実施時点」となり、終了点は、「今回に判定条件を満たした指示の実施時点の直前の時点」となる。つまり、グループ期間は「観察対象を医用画像１０４へ変更する指示の実施時点」から「濃度変換機能を実行する指示の実施時点の直前の時点」までの期間となる。従って、当該グループ期間の再現情報として、ｉｎｆ２３０とｉｎｆ２４０の２つの再現情報を１グループとしてグループ化する。
【００６０】
ステップＳ２４０において、代表情報作成部４４は、新たなグループの代表的な表示内容を特定し、代表画像を作成する。本実施例では、前述した条件に基づき、ｉｎｆ２３０とｉｎｆ２４０の２つの再現情報における表示時間を比較する。表示時間はｉｎｆ２４０の６秒が最も長いため、ｉｎｆ２４０に対応する表示内容が代表的な表示内容となる。次にｉｎｆ２４０から当該表示内容のキャプチャ画像（ここでは、スライス画像ｂ２のキャプチャ画像）を取得する。そして、当該キャプチャ画像を代表情報表示領域１０２に表示可能な大きさに変換する。変換処理後のキャプチャ画像を代表画像３１０とする。ここで、本変換処理における代表画像の大きさは、既に代表画像表示領域に表示している代表画像３００と同じ大きさとする。
【００６１】
ステップＳ２５０において、第２表示制御部４５は、ステップＳ２４０で作成された代表画像３１０を表示部３６に表示する。ここで、表示部３６における代表画像表示領域には、既に代表画像３００が表示されている。従って、代表画像３１０は、代表画像３００と時系順に並べて表示する。本ステップ後の表示部３６における画面例を図８に示す。医用画像表示領域１０１に、医用画像１０３のスライス画像ａ３と医用画像１０４の濃度変換後のスライス画像ｂ２が表示されている。また、代表情報表示領域１０２に、代表画像３００と代表画像３１０が図の左から右に向かって時系順に並んで表示されている。
【００６２】
ステップＳ２６０において、ユーザは画像診断の終了を指示する。従って、本実施例における処理を終了する。
【００６３】
以上のように、本実施形態に係る医用情報処理装置によれば、以下の効果を得られる。つまり、複雑な作業工程を必要とする画像診断においても、各作業工程の要点が時系順に表示されるため、ユーザは各作業工程の実施状況や実施順序（実施の履歴）を容易かつ正確に確認できる。従って、ユーザの画像診断の質や効率の低下を防ぐことができる医用情報処理装置及び医用情報処理方法を提供できる。
【００６４】
（変形例１）
本実施形態では、ステップＳ２３０で作成された全てのグループについて、ステップＳ２４０〜Ｓ２５０の処理を実行し、全てのグループの代表画像を表示していた。しかし、表示する代表画像は一部のグループの代表画像であってもよい。
【００６５】
この場合は、代表情報作成部４４は、ステップＳ２３０で作成されたグループの再現情報に応じて、ステップＳ２４０〜Ｓ２５０の処理を実行するか否かを判定してもよい。この場合は、ステップＳ２３０とステップＳ２４０の間の時点（ステップＳ２３１）で、代表情報作成部４４は作成されたグループがグループ選別条件を満たすか否かを判定する処理を実施し、判定結果に応じて処理手順を変更すればよい。具体的には、グループがグループ選別条件を満たす場合はステップＳ２４０へ進み、グループ選別条件を満たさない場合はステップＳ２００へ戻るようにすればよい。本変形例（変形例１−１）時のフローチャートを図９に示す。図２と比較すると、ステップＳ２３０の後にグループを判定する処理であるステップＳ２３１が新たに追加されている点が異なる。ここで、グループ選別条件とは当該グループの代表画像を作成して表示するか否かを判定する条件であり、予め設定されているものとする。具体的には、例えば、「グループに含まれる再現情報の数が５個以上」、あるいは、「グループに含まれる全て再現情報における表示時間の最大値が１秒以上」という条件である。すなわち、第三取得手段は、前ループに含まれる医用情報の数が閾値以下の場合には代表情報を取得しない。また、グループに含まれる医用情報の数が閾値以下のグループから取得された代表情報は表示手段に出力しないこととしてもよい。
【００６６】
もちろん、ここで示したグループ選別条件は１例であり、ユーザにとって画像診断の要点を理解する上で必要なグループを選別することができれば、本発明はこれに限定されるものではない。また、上記ではグループ選別条件は予め設定されているものとして説明したが、ユーザが適宜変更できるようにしてもよい。
【００６７】
また別の方法として、ステップＳ２４０で作成された代表画像に応じて、ステップＳ２５０の処理を実行するか否かを判定してもよい。この場合は、ステップＳ２４０とステップＳ２５０の間の時点（ステップＳ２４１）で、代表情報作成部４４は代表画像が代表画像選別条件を満たすか否かを判定する処理を実施し、判定結果に応じて処理手順を変更すればよい。具体的には、代表画像が代表画像選別条件を満たす場合はステップＳ２５０へ進み、代表画像選別条件を満たさない場合はステップＳ２００へ戻るようにすればよい。本変形例（変形例１−２）時のフローチャートを図１０に示す。図２と比較すると、ステップＳ２４０の後に代表画像を判定する処理であるステップＳ２４１が新たに追加されている点が異なる。ここで、代表画像選別条件とは当該代表画像を表示するか否かを判定する条件であり、予め設定されているものとする。具体的には、例えば、「画素数が１００００以上」、あるいは、「全画素の中で０以下の画素値を持つ画素数の割合が５割以下」という条件である。もちろん、ここで示した代表画像選別条件は１例であり、ユーザにとって画像診断の要点を理解する上で必要な代表画像を選別することができれば、本発明はこれに限定されるものではない。例えば、公知の技術を用いて算出できる画像特徴量に基づいた代表画像選別条件を設定してもよい。また、上記では代表画像選別条件は予め設定されているものとして説明したが、ユーザが適宜変更できるようにしてもよい。
【００６８】
さらに、ステップＳ２５０で表示する代表画像を、ユーザの指示に応じて適宜変更してもよい。例えば、図１１に示すような表示する代表画像の条件（以下、表示条件と称する）を設定する画面をユーザに提示し、当該条件をユーザに選択させればよい。図１１においては、５つの表示条件４００〜４４０を提示している例を示しており、各条件にはチェックボックスと当該条件の説明文を１組として提示している。ユーザは、各チェックボックスの中から少なくとも一つを選択する。図１１では、表示条件４００が選択されている例を示している。そして、そのチェックボックスに対応した条件を満たす代表画像だけを表示するようにすればよい。もちろん、ここで示した表示条件は１例であり、本発明はこれに限定されるものではない。なお、表示する代表画像を切り替えた際に、代表画像表示領域上における各代表画像の間の表示間隔を自動で調整してもよい。
【００６９】
本変形例を実施することにより、ユーザにとって画像診断の要点を理解する上で必要なグループや代表画像を選別して、必要な代表画像のみを表示する事が出来る。従って、ユーザはより容易かつ正確に画像診断業務の各作業工程の実施状況や実施順序を確認できる。
【００７０】
（変形例２）
本実施形態の実施例において、２回目以降のステップＳ２４０で作成した代表画像の大きさは、既に表示している代表画像の大きさに基づいて決定していた。しかし、本発明における代表画像の大きさの決定方法はこれに限定されない。例えば、代表画像に対応する再現情報に基づいて決定してもよい。以下では、再現情報における表示時間に基づいて決定する場合について説明する。
【００７１】
図７において、ｉｎｆ２１０における表示時間は３秒であり、ｉｎｆ２４０における表示時間は６秒である。この表示時間の差に基づいて、代表画像の大きさを決定する。つまり、ｉｎｆ２４０の表示時間はｉｎｆ２１０の表示時間の２倍であるので、代表画像３１０の大きさを代表画像３００の２倍としてもよい。また、代表画像表示領域の形状を考慮して、代表画像の横方向のみ（または、縦方向のみ）の大きさを２倍としてもよい。さらに、表示時間の比率に任意の定数を乗じた値を基に大きさを決定してもよい。図１２に表示時間の差に基づいて代表画像の横方向のみの大きさを決定した場合の代表画像表示領域の画面例を示す。図１２において、代表情報表示領域１０２には、代表画像３００と代表画像３１０と代表画像３２０と代表画像３３０と代表画像３４０が表示されている。ここで、代表画像３００に対応する再現情報の表示時間は３秒であるとする。同様に、代表画像３１０は６秒、代表画像３２０は１．５秒、代表画像３３０は３秒、代表画像３４０は４．５秒であるとする。代表画像３００を基準にして、表示時間の差に基づいて各代表画像の横方向の大きさを決定して表示する。つまり、代表画像３１０は横方向に代表画像３００の２倍の大きさで表示し、代表画像３２０は横方向に０．５倍の大きさで表示し、代表画像３３０は横方向に１倍の大きさで表示し、代表画像３４０は横方向に１．５倍の大きさで表示する。もちろん、本変形例で示した代表画像の大きさの決定方法は１例であり、当該決定方法は再現情報に基づいて決定すればどのような方法であってもよい。例えば、グループ内の再現情報の数に基づいて決定してもよいし、グループ内の再現情報の表示時間の合計に基づいて決定してもよい。また、表示回数の差に基づいて決定してもよいし、公知の技術で算出できる各表示内容の画像特徴量に基づいて決定してもよい。また、代表画像の大きさの決定方法は、ユーザが適宜切り替えできるようにしてもよい。例えば、不図示の切り替えボタンを選択することなどにより、適宜表示を切り替えればよい。
【００７２】
本変形例を実施することにより、ユーザは代表画像の大きさから、各代表画像の特性の一部を理解することが出来る。従って、ユーザはより容易に画像診断業務の各作業工程の実施状況や実施順序を確認できる。
【００７３】
（変形例３）
本実施形態では、表示する代表画像の数（以下、代表画像数と称する）が少ない場合（本実施形態においては、代表画像数は２）について説明した。しかし、代表画像数が多い場合には、代表画像表示領域に全ての代表画像を表示できない場合がある。以下では、代表画像数が多い場合の対応方法について説明する。
第一の方法として、代表画像数に基づいて代表画像表示領域の大きさを変更すればよい。つまり、表示する全ての代表画像の大きさの総和から全ての代表画像が表示可能な領域の大きさを算出し、代表画像表示領域の大きさを算出した大きさに変更すればよい。
【００７４】
第二の方法として、代表画像数に基づいて各代表画像の大きさを変更すればよい。つまり、代表画像表示領域の大きさを代表画像数で除することで、全ての代表画像が代表画像領域に表示可能な大きさ算出し、代表画像の大きさを算出した大きさに変更すればよい。
【００７５】
第三の方法として、代表画像表示領域の大きさと代表画像の大きさは不変にして、予め定めた条件に基づいて代表画像数の代表画像を選別すればよい。当該条件は、例えば、「代表画像の作成時点が新しい順に選別」という条件とする。図１３を用いて具体的に説明する。
【００７６】
ここで、図１３における代表画像数は５であり、代表画像５００から５６０は順に作成時点が古いとする。つまり、代表画像５００は最も古い時点で作成され、代表画像５６０は最も新しい時点で作成されたとする。上述した条件においては、表示する代表情報表示領域１０２に表示する代表画像として、代表画像５６０と代表画像５５０と代表画像５４０と代表画像５３０と代表画像５２０が選別される。そして、選別された代表画像を時系順に表示する。図１３の（Ａ）は、本処理後の表示画面３６の画面例である。図の左から右に向かって時系順に、代表画像５２０〜５６０が表示されている。ここで、表示する代表画像の作成時点はユーザが適宜変更できるようにしてもよい。図１３のボタン６００及びボタン６１０は表示する代表画像の作成時点の変更ボタンである。ユーザがボタン６００またはボタン６１０を選択することで、表示する代表画像の作成時点を変更することができる。例えば、ユーザがボタン６００を選択した場合は、表示されている代表画像の中で最も新しい時点で作成された代表画像（図１３の（Ａ）では代表画像５６０）を画面から消去する。そして、表示されている代表画像の中で最も古い時点で作成された代表画像（図１３の（Ａ）では代表画像５２０）よりも古い時点で作成された代表画像の中から、最も新しい代表画像（図１３では代表画像５１０）を表示する。ユーザが図１３の（Ａ）の状態からボタン６００を選択した場合の画面例を図１３の（Ｂ）に示す。図１３の（Ｂ）を図１３の（Ａ）と比較すると、代表画像５６０が削除され代表画像５１０が表示されており、代表画像５２０から５５０が時系順に表示されている。同様に図１３の（Ｂ）の画面例の状態から、ユーザが再びボタン６００を選択した場合の画面例を図１３の（Ｃ）に示す。また、ボタン６１０を選択した場合は、表示されている代表画像の中で最も古い時点で作成された代表画像（図１３の（Ｃ）では代表画像５００）を画面から消去する。そして、表示されている代表画像の中で最も新しい時点で作成された代表画像（図１３の（Ｃ）では代表画像５４０）よりも新しい時点で作成された代表画像の中から、最も古い代表画像（図１３では代表画像５５０）を表示する。つまり、図１３の（Ｃ）の状態から、ユーザがボタン６１０を選択した場合は、図１３の（Ｂ）の状態となる。同様に図１３の（Ｂ）の状態から、ユーザがボタン６１０を選択した場合は、図１３の（Ａ）の状態となる。本実施例においては、ボタンの選択によって表示する代表画像の作成時点を変更したが、マウスにおけるマウスホイール操作やタッチパネルディスプレイにおけるフリック操作などで変更してもよい。もちろん、第三の方法で示した代表画像を選別する条件は１例であり、本発明はこれに限定されない。例えば、「各代表画像に対応する再現情報の表示時間が長い順に選別する」という条件としてもよい。このように、当該条件によって複数の代表画像から代表画像数を超えない数の代表画像を選別して、選別した代表画像のみを時系列に沿って表示すればよい。すなわち、表示手段は、複数の代表情報を時系列順に並べて表示する。本変形例を実施することにより、代表画像数が多い場合においても代表画像表示領域に代表画像を表示できる。
【００７７】
（変形例４）
本実施形態では、ステップＳ２２０におけるユーザの指示の判定条件は、ユーザの指示の内容のみに基づいて設定されていた。本変形例では、当該判定条件をユーザの指示の内容と画像から算出した画像特徴量の両方に基づいて設定する場合について説明する。
【００７８】
本変形例による処理手順としては、ステップＳ２００とステップＳ２２０の間の時点で、不図示の画像解析部（例えば、制御部３７に含まれ且つプロセッサにより実現される）がステップＳ２００で表示した画像の画像特徴量を算出し、その結果をユーザ指示判定部４１へ出力する。そして、ステップＳ２２０で、ユーザ指示判定部４１はステップＳ２００におけるユーザの指示と画像から算出した画像特徴量の両方を順次取得し、その両方に基づいてユーザの指示が判定条件を満たすか否かを判定すればよい。本変形例時のフローチャートを図１４に示す。図２と比較すると、ステップＳ２００の後に画像特徴量を算出するステップＳ２０１が新たに追加されている点が異なる。なお、図１４ではステップＳ２０１はステップＳ２１０の前に実施する例を示しているが、ステップＳ２１０とステップＳ２２０の間に実施してもよい。
【００７９】
本変形例における処理を図３及び図４を用いて具体的に説明する。ここで本例の判定条件は、「判定対象指示はスライス送り機能の実行指示である」という第一の条件と、「スライス送り機能の実行前後の各スライス画像に描出されている臓器が異なる」という第二の条件の両方を満たす事であるとする。
【００８０】
ステップＳ２００において、ユーザが「医用画像１０３の表示」を指示したとする。このとき、第１表示制御部４０は、ユーザの指示に従って医用画像１０３のスライス画像ａ１を表示部３６に表示する。ここで表示内容を変更する指示が得られたため、制御部３７は処理をステップＳ２０１へと進める。
【００８１】
ステップＳ２０１において、不図示の画像解析部は、ステップＳ２００で表示した医用画像１０３のスライス画像ａ１に対して公知の画像処理技術を適用して、スライス画像ａ１に描出されている臓器を特定する。本例においては、スライス画像ａ１に描出されている臓器は、「肺」と特定されたとする。
【００８２】
ステップＳ２１０において、本例においても画像診断時の初回の指示においてはステップＳ２１０〜Ｓ２５０の処理は実行されない。従って、処理はステップＳ２６０へと進む。そしてステップＳ２６０において、ユーザが画像診断の終了を指示しなかった場合、処理はステップＳ２００に戻る。
【００８３】
ステップＳ２００に戻り、次にユーザが、医用画像１０３に対して「スライス送り機能の実行」を指示したとする。このとき、第１表示制御部４０は、表示するスライス画像をａ１からａ２に変更する。ここで表示内容を変更する指示を取得したため、制御部３７は処理をステップＳ２０１へと進める。
【００８４】
ステップＳ２０１において、不図示の画像解析部は、ステップＳ２００で表示した医用画像１０３のスライス画像ａ２に対して同様の処理を実施し、描出されている臓器を特定する。本例においては、スライス画像ａ２に描出されている臓器は、「肺」と特定されたとする。
【００８５】
ステップＳ２１０において、表示内容記憶部４２は、「スライス送り機能の実行」という指示を実施した時点の直前の時点の表示部３６における表示内容を取得し、その再現情報を記憶部３４に保存する。
【００８６】
ステップＳ２２０において、ユーザ指示判定部４１は、「スライス送り機能の実行」というユーザの指示とステップＳ２０１で算出した画像特徴量の両方に基づいて、ユーザの指示が上述の判定条件を満たすか否かを判定する。判定対象指示は「スライス送り機能の実行」であるので第一の条件を満たす。一方で、スライス送り機能の実行前の画像（ここでは、スライス画像ａ１）に描出されている臓器は「肺」であり、スライス送り機能の実行後の画像（ここでは、スライス画像ａ２）に描出されている臓器も「肺」である。つまり、第二の条件を満たさない。従って、処理はステップＳ２００へと戻る。
【００８７】
ステップＳ２００へ戻り、ユーザが、医用画像１０３に対して再び「スライス送り機能の実行」を再度指示したとする。このとき、第１表示制御部４０は、表示するスライス画像をａ２からａ３に変更する。ここで表示内容を変更する指示を取得したため、制御部３７は処理をステップＳ２０１へと進める。
【００８８】
ステップＳ２０１において、ステップＳ２００で表示した医用画像１０３のスライス画像ａ３に対して同様の処理を実施し、描出されている臓器を特定する。本例においては、スライス画像ａ３に描出されている臓器は、「肝臓」と特定されたとする。
【００８９】
ステップＳ２１０において、表示内容記憶部４２は、「スライス送り機能の実行」という指示を実施した時点の直前の時点の表示部３６における表示内容を取得し、その再現情報を記憶部３４に保存する。
【００９０】
ステップＳ２２０において、ユーザ指示判定部４１は、ユーザの指示が上述の判定条件を満たすか否かを判定する。判定対象指示は「スライス送り機能の実行」であるので第一の条件を満たす。また、スライス送り機能の実行前の画像（ここでは、スライス画像ａ２）に描出されている臓器は「肺」であり、スライス送り機能の実行後の画像（ここでは、スライス画像ａ３）に描出されている臓器は「肝臓」である。つまり、第二の条件を満たす。従って、制御部３７は処理をステップＳ２３０へと進める。すなわち、グループ生成手段は、第一の取得手段によって取得されたユーザの指示および医用情報の特徴情報に基づいて第二取得手段によって取得された複数の医用情報をグループ化する。具体的には、特徴情報医用情報に含まれる被検体の部位を示す情報であり、順次表示される医用情報において被検体の部位に変化があった場合にグループ生成手段はグループ化を実行する。
【００９１】
ステップＳ２４０以降のステップは、本実施形態と同様である。
【００９２】
もちろん、本変形例において説明した判定条件は一例であり、本発明はこれに限定されない。ユーザの指示の内容と画像特徴量の両方に基づいて設定されれば、どのような判定条件を設定してもよい。また、画像特徴量のみに基づいて設定した判定基準のみを用いる構成であってもよい。また、ユーザの指示の情報を操作部３５から直接取得せずに、表示画像の画像特徴量に基づいてユーザの指示の情報を推定する構成であってもよい。例えば、「表示画像を変更する指示」や「濃度変換機能を実行する指示」を、表示画像の値の変化（例えば、平均画素値の差異）に基づいて判定するようにしてもよい。この場合、画像解析部は、表示手段に表示される医用画像の画像特徴量を取得する第一取得手段の一例に相当する。また、グループ作成部４３は、第一の取得手段によって取得された画像特徴量に基づいて、第二取得手段によって取得された複数の医用画像をグループ化するグループ作成手段の一例に相当する。
【００９３】
また、本変形例においては、ユーザの指示に基づいて表示するスライス画像を変更する度に画像特徴量を算出していた。しかし、ステップＳ２００で読み出す画像を決定した後に、全てのスライス画像の画像特徴量を算出してもよい。その場合は、算出した画像特徴量をスライス画像と対応付けて記憶部３４またはＲＡＭ３３に保存しておき。スライス画像を表示する際に、対応する画像特徴量を読み出して活用すればよい。
【００９４】
本変形例を実施することにより、ユーザは指示の内容だけでなく画像の内容も考慮したグループを作成し、その代表画像を表示することができる。従ってより正確に、画像診断業務の各作業工程の実施状況や実施順序（実施の履歴）を確認できる。
【００９５】
（変形例５）
本実施形態では、医用情報表示装置が１つ（本実施形態においては、医用画像表示装置）の場合について説明した。しかし、医用情報表示装置は医用画像表示装置に限らず、また複数あってもよい。
【００９６】
以下では、図１５〜１８を用いて、複数種類の医用情報を複数の表示装置に表示して画像診断業務を実施する場合の例について具体的に説明する。図１５，１６、１８は表示部３６の画面例である。領域６００は医用画像表示装置によって取得される情報を表示する領域を表し、領域６１０は臨床情報表示装置によって取得される情報を表示する領域を表し、領域６２０は読影レポート装置によって取得される情報を表示する領域を表す。また、領域６３０は代表画像表示装置によって取得される情報を表示する領域を表す。ここで、臨床情報表示装置は、電子カルテシステム等が有する各種臨床情報や検査情報をユーザの指示に従ってデータベース２２から読み出し表示する装置である。読影レポート装置は、画像診断業務の際に作成する読影レポートを作成及び表示する装置である。代表画像表示装置は、代表情報作成部４４によって作成された代表画像を表示する装置である。
【００９７】
本変形例における処理を、具体例を用いて順に説明する。なお、本変形例のフローチャートは図２と同様である。
【００９８】
ステップＳ２００において、ユーザは医用画像表示装置を操作し、患者ＩＤが００１の患者の医用画像１０３のスライス画像ａ１を領域６００に表示する。ここでユーザは医用画像表示装置に対して「医用画像１０３の表示」を指示したため、ステップＳ２１０へ進む。図１５は、本操作終了時の表示部３６における画面例である。
【００９９】
ステップ２１０において、本変形例においても画像診断時の初回の指示においてはステップＳ２１０〜Ｓ２５０の処理は実行されない。従って、ステップＳ２６０に進む。
【０１００】
ステップＳ２６０において、ユーザは画像診断の終了を指示しないため、ステップＳ２００に戻る。
【０１０１】
ステップＳ２００に戻り、次にユーザは医用画像１０３に対して「スライス送り機能の実行」を指示し、領域６００に表示するスライス画像をａ１からａ２に変更する。ここでユーザは「スライス送り機能の実行」を指示したため、ステップＳ２０１へ進む。
【０１０２】
ステップＳ２１０において、表示内容記憶部４２は「スライス送り機能の実行」という指示を実施した時点の直前の時点の領域６００における表示内容を取得し、その再現情報を記憶部３４に保存する。本変形例においては、スライス画像ａ１のキャプチャ画像とスライス画像ａ１の表示時間（２秒とする）を再現情報として取得および保存する。
【０１０３】
ステップＳ２２０においてユーザ指示判定部４１は、「スライス送り機能の実行」というユーザの指示が判定条件を満たすか否かを判定する。ここで、本変形例における判定条件は「判定対象指示が指示対象の医用情報表示装置の変更指示である」という条件であるとする。「スライス送り機能の実行」は、この判定条件を満たさない。従って、ステップＳ２００へ戻る。
【０１０４】
ステップＳ２００に戻り、次にユーザは臨床情報表示装置を操作し、患者ＩＤが００１の患者の臨床情報を領域６１０に表示する。ここで「指示対象の臨床情報表示装置への変更及び、臨床情報の表示」を指示したため、ステップＳ２１０へ進む。
【０１０５】
ステップＳ２１０において、表示内容記憶部４２は「指示対象の臨床情報表示装置への変更及び、臨床情報の表示」という指示を実施した時点の直前の時点の表示内容を取得する。ここで、臨床情報表示装置に対する指示は初回であるので、当該指示を実施した時点の直前の時点では、臨床情報表示装置には何も表示されていない。このような場合は、指示対象の装置（本例では、臨床情報表示装置）の前の時点に操作していた装置（本例では、医用画像表示装置）における当該指示を実施した時点の直前の時点の表示内容を取得する。つまり本変形例においては、スライス画像ａ２のキャプチャ画像とスライス画像ａ２の表示時間（５秒とする）を再現情報として取得および保存する。
【０１０６】
ステップＳ２２０において、ユーザ指示判定部４１は、「指示対象の臨床情報表示装置への変更及び、臨床情報の表示」というユーザの指示が判定条件を満たすか否かを判定する。ここで本実施例における判定条件には、「判定対象指示が指示対象の医用情報表示装置の変更指示である」という条件があり、「指示対象の臨床情報表示装置への変更及び、臨床情報の表示」は、この判定条件を満たす。従って、ステップＳ２３０へ進む。なお以下では、本変形例において取得されたキャプチャ画像ａ１とそれに対応する表示時間（２秒）の組の再現情報をｉｎｆ３００と称する。同様に、キャプチャ画像ａ２とそれに対応する表示時間（５秒）の組の再現情報をｉｎｆ３１０と称する。
【０１０７】
ステップＳ２３０において、グループ作成部４３は表示内容記憶部４２から所定の期間の再現情報を読み出しグループ化する。ここで本実施例におけるグループ期間の開始点を定める基準は、「前回に判定条件を満たした指示の実施時点」または「初回の指示の実施時点」と設定とする。また、グループ期間の終了点を定める基準は、「今回に判定条件を満たした指示の実施時点の直前の時点」と設定とする。つまり、本変形例におけるグループ期間は「医用画像１０３の表示指示の実施時点」から「指示対象の臨床情報表示装置への変更及び、臨床情報の表示指示の実施時点の直前の時点」までの期間となる。従って、当該グループ期間の再現情報として、ｉｎｆ３００とｉｎｆ３１０の２つの再現情報を１グループとしてグループ化する。
【０１０８】
ステップＳ２４０において、グループの代表的な表示内容を特定する。本変形例における代表的な表示内容を特定するための基準は、「表示時間が最も長い表示内容を代表的な表示内容とする」と設定する。つまり、ｉｎｆ３００とｉｎｆ３１０の２つの再現情報における表示時間を比較し、代表的な表示内容を特定する。本変形例の場合、表示時間はｉｎｆ３１０の５秒が最も長いため、ｉｎｆ３１０に対応する表示内容が代表的な表示内容となる。次にｉｎｆ３１０から当該表示内容のキャプチャ画像（ここでは、スライス画像ａ２のキャプチャ画像）を取得する。そして、当該キャプチャ画像を代表画像表示装置に表示するために適切な大きさに変換する。ここで、変換処理後のスライス画像ａ２のキャプチャ画像を代表画像７００とする。
【０１０９】
ステップＳ２５０において、代表画像７００を領域６３０に表示する。本ステップ後の表示部３６における画面例を図１６に示す。領域６００に、患者ＩＤが００１の患者の医用画像１０３のａ２のスライス画像が表示されている。また、領域６１０に当該患者の臨床情報が表示されている。そして、領域６３０に代表画像７００が表示されている。
【０１１０】
ステップＳ２６０において、ユーザは画像診断の終了を指示しないため、ステップＳ２００に戻る。
【０１１１】
ステップＳ２００へ戻り、次にユーザは読影レポート装置６２０を操作し、読影レポートを記載する。ここで「指示対象の読影レポート装置への変更及び、読影レポートの記載」を指示したため、ステップＳ２１０へ進む。
【０１１２】
ステップＳ２１０において、表示内容記憶部４２は「指示対象の読影レポート装置への変更及び、読影レポートの記載」という指示を実施した時点の直前の時点の表示内容を取得する。ここで、読影レポート装置に対する指示は初回であるので、当該指示を実施した時点の直前の時点では、読影レポート装置には何も表示されていない。従って、指示対象の装置（本例では、読影レポート装置）の前の時点に操作していた装置（本例では、臨床情報表示装置）における当該指示を実施した時点の直前の時点の表示内容を取得する。つまり、臨床情報表示装置における表示情報データと対応する表示時間（３０秒）を再現情報として取得および保存する。
【０１１３】
ステップＳ２２０において、ユーザ指示判定部４１は、「指示対象の読影レポート装置への変更及び、読影レポートの記載」というユーザの指示が判定条件を満たすか否かを判定する。上述の条件から、「指示対象の読影レポート装置への変更及び、読影レポートの記載」は判定条件を満たす。従って、ステップＳ２３０へ進む。なお以下では、本変形例において取得された臨床情報表示装置における表示情報データと表示時間３０秒の組をｉｎｆ３２０と称する。
【０１１４】
ステップＳ２３０において、グループ作成部４３はグループ期間の再現情報を読み出しグループ化する。前述した基準に基づき、グループ期間は「指示対象を臨床情報表示装置に変更及び、臨床情報の表示指示の実施時点」から「指示対象の読影レポート装置への変更及び、読影レポートの記載指示の実施時点の直前の時点」までの期間となる。従って、当該グループ期間の再現情報として、ｉｎｆ３２０を１グループとしてグループ化する。
【０１１５】
ステップＳ２４０において、ステップＳ２３０で作成したグループの代表画像を作成する。当該グループにはｉｎｆ３２０のみが含まれているため、ｉｎｆ３２０に対応する表示内容が代表的な表示内容となる。ここでｉｎｆ３２０に対応する表示内容は、臨床情報表示装置における表示情報データである。まず、当該表示情報データから表示内容を再現して、再現した表示内容を示す代表画像を作成する。ここで、本例における臨床情報表示装置が表示したテキスト情報が主の情報のように、表示内容を単純に再現した代表画像では、表示内容の要点の把握がユーザにとって困難な場合がある。このような場合は、表示内容を簡略化した情報を表現した画像を第二の代表画像とすればよい。図１７を用いて第二の代表画像を例示する。代表画像７１０は、ｉｎｆ３２０に対応する表示内容を再現した画像である。代表画像７１１は、公知の技術を用いて、テキスト情報からその要約を抽出し、抽出した要約のみを表示した画像である。代表画像７１２は、臨床情報表示装置のイメージを表現したアイコンを表示した画像である。ここで本例においては、当該代表画像を簡略化したアイコンである代表画像７１２を第二の代表画像として活用する。
【０１１６】
ステップＳ２５０において、代表画像７１０を代表画像表示装置に表示する。本ステップ後の表示部３６における画面例を図１８に示す。医用画像表示装置に患者ＩＤが００１の患者の医用画像１０３のａ２のスライス画像が表示され、臨床情報表示装置に当該患者の臨床情報が表示され、読影レポート装置にユーザが記載した読影レポートが表示されている。そして、代表画像表示装置に代表画像７００と代表画像７１２が図の左から右に向かって時系列順に並んで表示されている。
【０１１７】
ステップＳ２６０において、ユーザは画像診断の終了を指示する。従って、本実施例における処理を終了する。
【０１１８】
本変形例を実施することにより、複数種類の医用情報を複数の表示装置に表示して画像診断業務を実施する場合においても本実施形態を適用することができる。
【０１１９】
（変形例６）
本実施形態では、ステップＳ２４０においてグループの代表画像を作成し、代表画像のみを表示していた。しかし、グループの他の再現情報を当該代表画像に対応付けて記録し、ユーザの指示によって表示してもよい。
【０１２０】
図５及び図６を用いて具体的に説明する。ステップＳ２３０において、図５に示されるｉｎｆ２００とｉｎｆ２１０とｉｎｆ２２０の３つの再現情報がグループ化され、ステップＳ２４０においてｉｎｆ２１０のスライス画像ａ２のキャプチャ画像が代表画像３００として選択される。ステップＳ２５０において、図６に示す通り代表情報表示領域１０２に代表画像３００が表示される。ここで代表画像３００に、ｉｎｆ２００とｉｎｆ２１０とｉｎｆ２２０の３つの再現情報を対応付けて記録する。そしてユーザが代表画像３００を選択した場合には、代表画像３００に対応づいたｉｎｆ２００とｉｎｆ２１０とｉｎｆ２２０の３つの表示内容を医用画像表示領域１０１または代表情報表示領域１０２に順次表示する。
【０１２１】
このように、各代表画像に対応づいた再現情報のみを順次表示することで、ユーザは特定のグループ期間における表示内容だけを確認することができる。従って、後で表示内容を確認したい際にも、効率的に確認することができる。また、画像診断業務の各作業工程における、実際の指示や表示内容を確認することができるので、経験の浅い医師に対する教育にも活用することができる。
【０１２２】
＜その他の実施形態＞
上述した複数の変形例のうち少なくとも二つを組み合わせることも可能である。
【０１２３】
また、開示の技術は例えば、システム、装置、方法、プログラム若しくは記録媒体（記憶媒体）等としての実施態様をとることが可能である。具体的には、複数の機器（例えば、ホストコンピュータ、インターフェイス機器、撮像装置、ｗｅｂアプリケーション等）から構成されるシステムに適用しても良いし、また、一つの機器からなる装置に適用しても良い。
【０１２４】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【０１２５】
１０  医用画像表示装置
２１  ＬＡＮ
２２  データベース
３１  通信インターフェイス
３２  ＲＯＭ
３３  ＲＡＭ
３４  記憶部
３５  操作部
３６  表示部
３７  制御部
４０  第１表示制御部
４１  ユーザ指示判定部
４２  表示内容記憶部
４３  グループ作成部
４４  代表情報作成部
４５  第２表示制御部
【図１】
2018108125.tif 000003
【図２】
2018108125.tif 000004
【図３】
2018108125.tif 000005
【図４】
2018108125.tif 000006
【図５】
2018108125.tif 000007
【図６】
2018108125.tif 000008
【図７】
2018108125.tif 000009
【図８】
2018108125.tif 000010
【図９】
2018108125.tif 000011
【図１０】
2018108125.tif 000012
【図１１】
2018108125.tif 000013
【図１２】
2018108125.tif 000014
【図１３】
2018108125.tif 000015
【図１４】
2018108125.tif 000016
【図１５】
2018108125.tif 000017
【図１６】
2018108125.tif 000018
【図１７】
2018108125.tif 000019
【図１８】
2018108125.tif 000020